(57)【特許請求の範囲】
【請求項１】
合成樹脂製のフロート体内に中空円筒状の磁石を、中空部を存する様に埋設してなる磁石内蔵中空フロート体の製造方法において、成形の１段目に中空磁石の一部を把持した状態で合成樹脂を成形して磁石の把持されている部分以外の中空内周面と外周面を被覆すると共に、該磁石の外側面と離間して該外周面を囲繞するリングを、磁石外周面を覆う樹脂とはブリッジを介して一体に成形して仕掛かり中空フロート体を成形し、これを成形機の型から取り出し、次いで、２段目として、１段目で成形した仕掛かり中空フロート体の中空部に突起状の型を挿通して凹部を持つ成形型内に配置して、１段目で把持された部分の磁石周面を被覆すると共に、所定外観形状の中空フロート体に成形することを特徴とする磁石内蔵中空フロート体の製造方法。
【請求項２】
磁石の把持は少なくとも３箇所以上で把持することを特徴とする請求項１に記載の磁石内蔵中空フロート体の製造方法。
【請求項３】
該ブリッジは、互いに隣り合う磁石を把持した位置間の中央に位置する部分に形成したことを特徴とする請求項１に記載の磁石内蔵中空フロート体の製造方法。
【請求項４】
該ブリッジは、２段目の成形時に所定外観形状の外面の一部を形成する様に突出して形成されることを特徴とする請求項１又は３に記載の磁石内蔵中空フロート体の製造方法。
【請求項５】
内蔵される磁石は、所定外観形状に成形された中空フロート体の下部位置に内蔵されることを特徴とする請求項１乃至４に記載の磁石内蔵中空フロート体の製造方法。
【発明の詳細な説明】
【０００１】
【発明の属する技術分野】
本発明は、蓄電池に用いられる磁石内蔵の中空フロート体の製造方法に関するものである。
【０００２】
【従来の技術】
蓄電池の電解液面位や比重を監視する為に、栓体下部の磁気感応スイッチを備える筒体に中空円筒状磁石の全表面を樹脂で覆った磁石内蔵中空フロート体を貫通し、これを電解液に浮かせ、電解液面位の変化あるいは電解液比重の変化により該中空フロート体を浮沈動させ、その中空フロート体の浮沈動により遠近する磁石により磁気感応スイッチをオンオフさせて電解液面位や電解液比重を検知することが知られている（実開昭５５−１４１０５０号公報、実開昭５７-１３８２７２号公報）。
【０００３】
これら蓄電池の電解液面位や比重を検知することは、蓄電池への補液時期や充電時期を明確にする上で有用である。殊に、最近、環境保護の目的で、トラックやバスなどの自動車に、停車中にアイドリング中のエンジンを止めるアイドルストップ機能が付加される様になり、この時に液面位や比重が所定の範囲値でない場合にエンジンを停止すると、自動車エンジンの再始動が出来なくなる等のトラブルが発生する場合があるので、電解液面位や比重の検知はますます重要となっている。
【０００４】
【発明が解決しようとする課題】
しかしながら、これら磁石内蔵中空フロート体は貫通する筒体に沿ってスムーズに浮沈動させるため、フロート体が偏芯することの無い様に中空円筒状磁石の中心と中空フロート体の中心が同じになるように製造する必要があるが、従来の方法ではしばしば偏芯したものが見られ、この偏芯した中空フロート体を用いると該中空フロート体が傾き、これを貫通する筒体に引っ掛かり電解液面位或いは比重の変化に伴い浮沈動をしない場合が発生し、結果正確な検知が出来なくなる等の問題があった。
【０００５】
【課題を解決するための手段】
本発明は上記問題を解決したもので、中空の磁石を中空の樹脂フロート体に埋設するに当たり、成形の１段目に中空磁石の一部を把持した状態で、好ましくはその外周面の３箇所以上をしっかりと把持して成形機に配置し、合成樹脂を成形して磁石の把持されている部分以外の中空内周面と外周面を被覆すると共に、該磁石の外側面と離間して該外周面を囲繞するリングを、磁石外周面を覆う樹脂とはブリッジを介して一体に成形して仕掛かり中空フロート体を成形し、これを成形機の型から取り出し、次いで、２段目として、１段目で成形した仕掛かり中空フロート体の中空部に突起状の型を挿通して凹部を持つ成形型内に配置して、１段目で把持された部分の磁石周面を被覆すると共に、所定外観形状の中空フロート体に成形したものである。
【０００６】
この際、１段目の成形において、該磁石の外周面の外側にこれを囲繞するリングを形成するとその後の２段目の成形時の気泡発生を防止し得る。更に、該リングと磁石外周面を覆う樹脂との間に形成したブリッジを所定外観形状の外面の一部を形成する様に突出させることにより、２段目の成形時に該ブリッジを型の側面に当接して成形し得より好ましい。
【０００７】
【作用】
結果、磁石中心とフロート体中心を一致させることが出来、偏芯を無くすことが出来る。
【０００８】
【発明の実施の形態】
実施の形態としての１実施例を図に基づいて説明する。
【０００９】
図１は本発明１実施例の１段目により成形された仕掛かり中空フロート体を示す斜視図で、（イ）は表面、（ロ）はその裏面を示す。
【００１０】
図示される通り、中空円筒状の磁石１は外周面の一部を除きポリプロピレン樹脂２で覆われている。
【００１１】
磁石１を樹脂２で被覆する方法は常法により射出成形機で行われるも、磁石１の外周面の１部、図示の例では３箇所をチャックにより把持固定されて成形機の型内に入れられる。従って、図示される磁石１の地肌が見えている部分以外の中空部３の内周面や磁石１の外周面は成形機型内では空間となっており、該空間に樹脂を射出することで成形されたものである。
【００１２】
この例では、磁石１の表面のみならず、更にその外周面の外側に該外周面を囲繞するリング４を成形し、磁石１の表面の樹脂層５とはブリッジ６で連結され一体に成形されている。そして該ブリッジ４は突出させ、所定の外観形状の外面の一部を形成し得るようにした。そして該ブリッジ６は、磁石の地肌が見えている部分、即ち把持した位置から離れる様に、互いに隣り合う磁石を把持した位置間の中央、実施例では中間に位置する部分に形成した。この事により１段目の成形時の樹脂２と２段目の成形時の樹脂２間に生じるかもしれない僅かな隙間に電解液が滲みこみ磁石１に到達する距離を長く出来、磁石１の電解液による腐食を長期に渡り防止し得る。尚、図１（イ）では中空部３の内周面を被覆する部分の樹脂も該ブリッジ６と同一高さに突出させた。
【００１３】
更に同図（ロ）に示される裏面は中空部３の内周面を被覆する部分の樹脂を突出させた。
【００１４】
この様に、チャックにより磁石１は成形型内でしっかり固定されるので、該型内で移動することがなく所定の位置に固定し得、正確な芯だしが出来る。
【００１５】
上記１段目の成形を終了後、２段目の成形をした。
【００１６】
図２は２段目の成形により所定外観形状に成形された磁石内蔵中空フロート体の斜視図である。
【００１７】
図示の通り、中空部３を有したほぼ円柱扁平状の形をしている。図面上の表面に点線で示した通り、ブリッジ６および中空部３の内周面を被覆する部分の突出した樹脂が見える様にし、所定外観形状の外面の一部を形成する様にした。これはこの部分を２段目の成形の際、型の側面に当接して配置した為で、この事により、成形機の型内で、１段目で成形した仕掛かり中空フロート体は、その中空部３に貫通される突起状の型と共にしっかり固定されて移動する事はない。尚、この磁石内蔵中空フロート体の裏面は一点鎖線示の通り中空部３が多少突出するテーパー面に形成され、該テーパー面を下方にして磁気感応スイッチを備える筒体に貫通され使用されるものである。
【００１８】
また、内蔵される磁石は、該フロート体の厚さ方向の中心位置と磁石の厚さ方向の中心位置を同じになる様に内蔵させるよりは、磁石の中心位置をフロート体の中心位置より下方にずらし、該フロート体の下部位置に内蔵した方が動作が安定しより好ましい。
【００１９】
尚、上記実施例では、１段目でリングを形成したので、２段目の成形時に成形樹脂内に気泡が発生することが全く、フロート体の比重が殊更に安定して製造し得た。
【００２０】
図３は仕掛かり中空フロート体を成形する為の１例の成形金型の断面図であり、図１（イ）に記載される仕掛かり中空フロート体のＡ−Ａ線に相当する部分の断面図である。
【００２１】
図示される通り、移動型７と固定型８を組合せ所望の空間９を形成し、該空間９に樹脂を射出して成形されるものである。図中、１０は磁石１を把持するチャックで、磁石１を把持するＬ字状の把持部１１とこれを取付ける取付部１２からなり、該把持部１１は取付部１２に回動自在に枢着され、取付部１２との連結杆１３にテーパー面１４が形成され、取付部が図示しないシリンダーにより前後動されることにより、把持部１１は固定型８から前進して把持を解除され、後退して把持する様になっている。１５は磁石１の中空部３に挿入される突起状の型で固定型８に一体に取付けられている。１６は磁石１とその外側のリングとの間に形成される空間を確保する為の突出型で移動型７に一体に中空円筒状に形成され、ブリッジを形成する為の空間を形成する為の切欠部を３つ有している。
【００２２】
そして、１段目で成形された仕掛かり中空フロート体は、次いで中空部３に挿通される突起状の型を有する固定型と所定外観形状の凹部をもつ移動型を組合せ、２段目の成形が行われて所定外観形状の磁気内蔵中空フロート体が成形される。
【００２３】
尚、上記実施例では、磁石１の外周面を把持した例を示したが、中空内周面および内周面と外周面あるいは外側面を把持しても良い。
【００２４】
【発明の効果】
この様に、本発明によれば磁石と中空フロート体の中心を一致させることが出来、偏芯等がなく、従って該中空フロート体を貫通する筒体に引っ掛かったりすることなく、正確に電解液の液面位や比重の変化に追従して浮沈動し、正確な検知を可能にし得る効果を奏するものである。
【図面の簡単な説明】
【図１】  仕掛かり中空フロート体の斜視図で、（イ）は表面（ロ）は裏面を示す。
【図２】  所定形状の磁石内蔵中空フロート体の斜視図。
【図３】  仕掛かり中空フロート体の成形金型断面部分図。
【符号の説明】
１…磁石
２…樹脂
３…中空部
４…リング
６…ブリッジ
７…移動型
８…固定型
１０…チャック
【図１】
0004076354.tif 000002
【図２】
0004076354.tif 000003
【図３】
0004076354.tif 000004